(57)【特許請求の範囲】
【請求項１】
身体に装着した状態で操作が可能な携帯型情報装置において、
装置本体部を収納する本体収納部材と、
前記本体収納部材に一方の端部が取り付けられ、前記装置本体部の第１面を覆う第１の状態と前記第１面を開放する第２の状態に開閉可能な蓋部材と、
前記蓋部材の他方の端部に取り付けられた身体に装着するための装着部材と、
前記蓋部材が前記第２の状態にあるときに、前記蓋部材と前記装置本体部を収納した前記本体収納部材との間隔を規定する規定部材と、
前記蓋部材を、前記装置本体部の前記第１面と相対する第２面を覆う第３の状態にして固定する固定手段と
を具備したことを特徴とする携帯型情報装置。
【請求項２】
前記装置本体の前記第１面にタッチパネルを設けることを特徴とする請求項１記載の携帯型情報装置。
【発明の詳細な説明】
【技術分野】
【０００１】
本発明は、身体に装着した状態で操作が可能な携帯型情報装置に関する。
【背景技術】
【０００２】
身体に装着した状態で操作が可能な携帯型情報装置には、ウェアラブルＰＣと呼ばれるものがある。一般に、身体に装着して使用される携帯型情報装置は、携帯が容易となるように小型に構成されている。
【０００３】
従来では手首装着型の装置などが考えられている（例えば、特許文献１参照）。特許文献１に記載された装置は、インターフェース・エレクトロニクスと、インターフェース・エレクトロニクスを実質的に内包するハウジング、即ち、ベース構造体と、ＲＦインターフェース／トランシーバーとを有し、このＲＦインターフェース／トランシーバーを取付け構造体（例：リストバンド）へ取り付けるように構成されている。特許文献１の装置では、使用者に対してリストバンドにより装着する。そして、手首に装着した状態で、例えば使用者の左の手のひらを顔の左側に当てることで使用される。
【特許文献１】特表２００１−５２３０８０公報
【発明の開示】
【発明が解決しようとする課題】
【０００４】
上記従来のウェアラブルＰＣ（携帯型情報装置）では、小型に構成されているために手首に装着した状態で単に顔の左側に当てることで簡単に使用することができる。
【０００５】
しかしながら、手首などに装着して使用することができないような、ある程度の大きさと重量がある情報機器（パーソナルコンピュータなど）を携帯するためには、情報機器を安全に保持した状態で携帯できるようにしなければならない。
【０００６】
例えば、情報機器を袋状となった部分に収納することで、情報機器を保護した状態で携帯することができる。しかしながら、情報機器を使用する場合には、袋状となった部分から取り出して使用可能な状態にするといった作業が必要となるため、携帯したままで使用できなくなり、またその作業は繁雑となってしまう。
【０００７】
本発明は上記事情に着目してなされたもので、その目的とするところは、携帯を容易にすると共に、携帯しながら使用可能な状態に簡単に変更することが可能な携帯型情報装置を提供することにある。
【課題を解決するための手段】
【０００８】
上記目的を達成するために本発明は、身体に装着した状態で操作が可能な携帯型情報装置において、装置本体部を収納する本体収納部材と、前記本体収納部材に一方の端部が取り付けられ、前記装置本体部の第１面を覆う第１の状態と前記第１面を開放する第２の状態に開閉可能な蓋部材と、前記蓋部材の他方の端部に取り付けられた身体に装着するための装着部材と、前記蓋部材が前記第２の状態にあるときに、前記蓋部材と前記装置本体部を収納した前記本体収納部材との間隔を規定する規定部材と、前記蓋部材を、前記装置本体部の前記第１面と相対する第２面を覆う第３の状態にして固定する固定手段とを具備するようにしたものである。
【０００９】
好ましくは、前記蓋部材を、前記装置本体部の前記第１面と相対する第２面を覆う第３の状態にして固定する固定手段をさらに具備する。また、前記装置本体の前記第１面にタッチパネルを設ける。
【発明の効果】
【００１０】
本発明によれば、身体に装着するための装着部材を蓋部材に取り付けることで、蓋部材を装置上面部が開放可能な状態にすることで、装置本体部が収納された本体収納部材が装置の自重により蓋部材から離れ、蓋部材と本体収納部材との間隔が規定部材により規定されて装置を使用可能な状態にすることができる。すなわち、蓋部材を第１の状態とすることで携帯を容易な状態にすることができ、蓋部材を第２の状態にすることで、携帯しながら使用可能な状態に簡単に変更することが可能となる。
【発明を実施するための最良の形態】
【００１１】
以下、図面を参照して本発明の実施の形態について説明する。  
図１及び図２は、本実施形態におけるウェアラブルＰＣ１（携帯型情報装置）の構成を示す外観図である。図１は、ウェアラブルＰＣ１が携帯されている時の状態を示し、図２は、ウェアラブルＰＣ１が携帯しながら使用される時の状態を示している。
【００１２】
本実施形態におけるウェアラブルＰＣ１の装置本体１０は、例えばある程度の大きさと重量を有しており、例えば手首に装着して使用するといった簡易な使用形態をとることができないものとする。装置本体１０には、例えば入力装置として装置上面部にタッチパネル１０ａが設けられている。タッチパネル１０ａに対しては、操作ペン１２を用いて入力面が接触されることで入力が行われる（図３、図４参照）。
【００１３】
装置本体１０は、装置上面部（タッチパネル１０ａ）が開放された状態で本体収納部材１３に収納されている。本体収納部材１３には、図２に示すように、操作ペン１２を保持しておくことができる収納部が設けられている。操作ペン１２を使用しない場合には、この収納部に保持させておくことで、ウェアラブルＰＣ１の携帯を容易にすることができる。
【００１４】
本体収納部材１３には、装置本体１０の上面部を覆うための蓋部材１４が取り付けられている。蓋部材１４は、本体収納部材１３の一辺に取り付けられており、装置本体１０の上面部（タッチパネル１０ａ）を覆う第１の状態と上面部を開放する第２の状態に開閉可能となっている。蓋部材１４は、柔軟性のある材質により形成されており、第１の状態にある場合にはタッチパネル１０ａの入力面を保護し、また装置本体１０の下面側に折り曲げて下面側を覆う第３の状態にすることが可能となっている。
【００１５】
蓋部材１４には、２箇所に設けられた取付金具１５を介して、ウェアラブルＰＣ１（装置本体１０）を身体に装着するために用いられる１本の装着部材１６（ショルダーベルト）が取り付けられている。装着部材１６は、例えば首あるいは肩に掛けることにより、ウェアラブルＰＣ１を携帯できるようにしている。なお、腰に装着可能な装着部材１７（ウエストベルト）を蓋部材１４の外面側（装置本体１０の上面部を覆わない側）に設けられた装着部材保持部１４ａに取り付けて、この装着部材１７により身体に装着することも可能である（図３参照）。
【００１６】
蓋部材１４には、本体収納部材１３に取り付けられた側と反対側の端部に、蓋部材１４の状態を固定するための固定部材１８が設けられている。固定部材１８には、本体収納部材１３の外面部に設けられた接着部１３ａ、あるいは蓋部材１４の内面部（装置本体１０の上面部を覆う側）に設けられた接着部１４ｂと着脱自在な接着部１８ａが設けられている。例えば、固定部材１８の接着部１８ａと、本体収納部材１３あるいは蓋部材１４に設けられた接着部は、一方がフック状、他方がパイル状の布製のテープにより構成されている。なお、着脱自在であり、接着時には蓋部材１４の状態を固定が可能であれば、その他の接着方法を用いることも可能である。
【００１７】
図１に示すように、固定部材１８の接着部１８ａと、本体収納部材１３の外面部に設けられた接着部１３ａとを接着させることで、蓋部材１４が装置本体１０の上面部を保持した第１の状態とすることができる。図１に示す状態では、装着部材１６が蓋部材１４の端部（図１中の上端）に取り付けられているために、本体収納部材１３と蓋部材１４とが取り付けられた部分（図１中の蓋部材１４の下端）に装置本体１０の重量がかかった状態で、装置本体１０の上面部（タッチパネル１０ａ）と蓋部材１４の内面側とが密着させた状態で固定することができる。
【００１８】
また、図１に示す状態において、固定部材１８の接着部１８ａと、本体収納部材１３の外面部に設けられた接着部１３ａとを離すことで、装置本体１０の重量が蓋部材１４の下端にかかっているため、装置本体１０の自重により装置本体１０が蓋部材１４から離間し、蓋部材１４が装置本体１０の上面部を開放する第２の状態となる。
【００１９】
蓋部材１４の両側部には取付金具１９が設けられている。また、本体収納部材１３の両側部にも取付金具２０が設けられている。蓋部材１４に設けられた取付金具１９と、対応する本体収納部材１３に設けられた取付金具２０との間には、規定部材２１が両側部に取り付けられている。規定部材２１は、蓋部材１４と本体収納部材１３（装置本体１０）とが離間して蓋部材１４が第２の状態にある時に、図２に示すように、蓋部材１４と装置本体１０を収納した本体収納部材１３との間隔、すなわちウェアラブルＰＣ１の装着時に身体（腹の部分）と密着してほぼ垂直となる蓋部材１４に対する、装置本体１０の上面部との角度を規定する。規定部材２１は、装着部材１６によりウェアラブルＰＣ１が身体に装着されている状態で、装置本体１０の上面部（タッチパネル１０ａ）に対して操作ペン１２を用いた入力操作が容易となるように、例えばタッチパネル１０ａの入力面がほぼ水平となるような長さとなっている。
【００２０】
従って、図１に示す未使用時の状態において固定部材１８を接着部１３ａから離すことにより、簡単に装置本体１０に対する入力操作が可能な図２に示す状態に変更することができる。
【００２１】
なお、規定部材２１の長さを任意に調節できるようにして、蓋部材１４と装置本体１０とが離間する間隔を自由に変更できるようにしても良い。
【００２２】
また、規定部材２１は、取付金具１９及び取付金具２０から脱着可能であり、ウェアラブルＰＣ１を使用しない場合に取り外しておくことも可能である。
【００２３】
図３及び図４は、ウェアラブルＰＣ１が携帯されたままで使用されている状態の一例を示す図である。
【００２４】
図３に示すように、蓋部材１４に取り付けられた装着部材１６を首にかけることで、ウェアラブルＰＣ１を容易に携帯することができる。図３に示す例では、蓋部材１４の外面側に設けられた装着部材保持部１４ａに装着部材１７を取り付け、この装着部材１７によっても腰の部分で身体に装着している。装着部材１７をさらに用いることで、より安定した状態でウェアラブルＰＣ１を携帯することができ、また装置本体１０に対する入力操作も安定して行うことができるようになる（誤入力などが発生しにくい）。また、ウェアラブルＰＣ１を使用する状態にしていたとしても、装着部材１６と装着部材１７により身体に装着されているので、両手を使って他の作業を行うことも可能となる。
【００２５】
図４は、操作ペン１２を用いて装置本体１０のタッチパネル１０ａに対して入力操作をしている様子を示している。図４に示すように、装置本体１０（本体収納部材１３）は、規定部材２１によって蓋部材１４との間隔が規定され、ほぼ水平の状態で保持されているので容易に入力操作をすることができる。
【００２６】
なお、ウェアラブルＰＣ１の身体への装着は、首に掛ける装着部材１６のみ、あるいは腰に巻き付ける装着部材１７のいずれか一方のみとすることも可能である。装着部材１７のみとする場合には、装着部材１７のみで装置本体１０を安定して装着できるように蓋部材１４の適切な位置に装着部材保持部１４ａを設け、蓋部材１４に装置本体１０を支持することができる程度の強度を持たせるものとする。
【００２７】
図５は、ウェアラブルＰＣ１が載置された状態で使用される場合を示す図である。  
図５に示すように、ウェアラブルＰＣ１が身体に装着された状態ではなく、机上などに載置された状態で使用される場合には、蓋部材１４を装置本体１０の下面側に折り曲げて固定した第３の状態にする。蓋部材１４を装置本体１０の下面側にすることで、ウェアラブルＰＣ１を載置した状態で入力操作を行う場合に、蓋部材１４が邪魔になることがない。また、蓋部材１４が柔軟性のある材質により形成されているので、例えばウェアラブルＰＣ１を振動のある場所、例えば各種車両内で使用する場合にクッションの役割を果たし、装置本体１０を保護することができる。
【００２８】
なお、図５では、規定部材２１を取付金具１９及び取付金具２０から取り外して、入力操作の邪魔とならないようにしている（図７乃至図１０では、取付金具１９の図示を省略している）。
【００２９】
図６は、ウェアラブルＰＣ１の未使用時の状態を示している。  
図６では、固定部材１８が第１の状態で固定されている。また、図６に示すように、規定部材２１を取り外すことによって、  未使用時のウェアラブルＰＣ１の取り扱いを容易にすることができる。また、装着部材１６についても取り外すことにより、ウェアラブルＰＣ１を収納する場合に邪魔にならなくてすむ。
【００３０】
次に、ウェアラブルＰＣ１の使用状態を変更する場合について説明する。
【００３１】
図７と図８は、ウェアラブルＰＣ１の本体収納部材１３、蓋部材１４、及び固定部材１８を平面状に展開して示す図である。  
図７は、本体収納部材１３の下面（装置本体１０の下面側）を上側にして展開した状態を示している。  
図７に示すように、本体収納部材１３に収納された装置本体１０の裏面側には、固定部材１８の接着部１８ａが接着可能な接着部１３ａが設けられている。接着部１３ａは、蓋部材１４が第１の状態（装置本体１０の上面部を覆う状態）にある時、固定部材１８の内面側に設けられた接着部１８ａと接着可能な位置に設けられている。また、蓋部材１４の外面側には、装着部材１７を取り付けることができる装着部材保持部１４ａが設けられている。
【００３２】
図８は、本体収納部材１３の上面部（タッチパネル１０ａ）を上側にして展開した状態を示している。  
図８に示すように、装置本体１０の上面部（タッチパネル１０ａ）を覆う蓋部材１４の内面側には、接着部１４ｂが設けられている。接着部１４ｂは、固定部材１８が蓋部材１４の内面側に折り曲げられた際に、固定部材１８に設けられた接着部１８ａと接着される位置に設けられている。
【００３３】
すなわち、図９に示す状態において固定部材１８を蓋部材１４の内面側に折り畳むことで、接着部１８ａと接着部１４ｂとが接着され、図２〜図４に示すように、固定部材１８を装置本体１０に対する操作の邪魔とならないようにする事ができる。
【００３４】
また、図５に示すウェアラブルＰＣ１を載置した状態で使用する場合には、図１０に示すように、固定部材１８を蓋部材１４の外面側に折り畳み、さらに蓋部材１４を装置本体１０の下面側に折り畳むことで、接着部１８ａと本体収納部材１３に設けられた接着部１３ａとを接着させることができる。すなわち、固定部材１８と蓋部材１４とを、装置本体１０（本体収納部材１３）の下面側（裏面側）を覆う状態にして安定して固定させることができる。
【００３５】
なお、前述した説明では、タッチパネル１０ａに対して操作ペン１２を用いて入力操作を行うものとしているが、タッチパネル１０ａによる位置検出方法として感圧式、電磁誘導方式、静電結合方式など、何れの方式が用いられても良い。また、操作ペン１２による操作に限らず、他の位置指示が容易な器具を用いたり、作業者が直接指先を用いて操作できるものとしても良い。
【００３６】
また、前述した説明では、装置本体１０の上面部にタッチパネル１０ａが設けられた構成としているが、タッチパネル１０ａ以外の入力装置、例えばキーボードや他のポインティングデバイスなどが実装された構成とすることも可能である。また、装置本体１０の上面部にのみ入力装置が実装された構成としているが、装置本体１０の側面部や下面部に入力装置を設けるようにしても良い。
【００３７】
要するに本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００３８】
【図１】本発明の実施形態における未使用時のウェアラブルＰＣ１（携帯型情報装置）の構成を示す外観図。
【図２】本発明の実施形態における使用時のウェアラブルＰＣ１（携帯型情報装置）の構成を示す外観図。
【図３】本実施形態におけるウェアラブルＰＣ１が携帯されたままで使用されている状態の一例を示す図。
【図４】本実施形態におけるウェアラブルＰＣ１が携帯されたままで使用されている状態の一例を示す図。
【図５】本実施形態におけるウェアラブルＰＣ１が載置された状態で使用される場合を示す図。
【図６】本実施形態におけるウェアラブルＰＣ１の未使用時の状態を示す図。
【図７】本実施形態におけるウェアラブルＰＣ１の本体収納部材１３、蓋部材１４、及び固定部材１８を平面状に展開して示す図。
【図８】本実施形態におけるウェアラブルＰＣ１の本体収納部材１３、蓋部材１４、及び固定部材１８を平面状に展開して示す図。
【図９】本実施形態における固定部材１８の折り畳みを説明するための図。
【図１０】本実施形態における固定部材１８の折り畳みを説明するための図。
【符号の説明】
【００３９】
１…ウェアラブルＰＣ、１０…装置本体、１０ａ…タッチパネル、１０ｂ…ボタン、１２…操作ペン、１３…本体収納部材、１３ａ…接着部、１４…蓋部材、１４ａ…装着部材保持部、１４ｂ…接着部、１５…装着部材取付具、１６…装着部材、１８…固定部材、１８ａ…接着部、１９…取付金具、２０…取付金具、２１…規定部材。
【図１】
0004621552.tif 000002
【図２】
0004621552.tif 000003
【図３】
0004621552.tif 000004
【図４】
0004621552.tif 000005
【図５】
0004621552.tif 000006
【図６】
0004621552.tif 000007
【図７】
0004621552.tif 000008
【図８】
0004621552.tif 000009
【図９】
0004621552.tif 000010
【図１０】
0004621552.tif 000011